(57)【要約】      （修正有）【課題】  セキュリティタグを多数の異なる物品に締結することができる締結システムにおいて、セキュリティタグを権限なく開放することを比較的困難にすること。【解決手段】  セキュリティタグは、タグハウジングと、留め具本体４と、前記タグハウジング内に配置されたリニアクランプ５００であって、前記留め具本体４を保持し、且つ前記留め具本体４を前記スロットから解放するための力に応答して実質的に直線方向に動くように上にするスロットを有するリニアクランプ５００とを備える。【選択図】  図６
2005025761.tif 000002
【特許請求の範囲】
【請求項１】
セキュリティタグにおいて、
タグハウジングと、
留め具本体と、
前記タグハウジング内に配置されたリニアクランプであって、前記留め具本体を保持し、且つ前記留め具本体を前記スロットから解放するための力に応答して実質的に直線方向に動くようにするスロットを有するリニアクランプとを備える、セキュリティタグ。
【請求項２】
請求項１のセキュリティタグにおいて、前記リニアクランプが、
クランプ本体と、
前記クランプ本体の第一の縁部に取り付けられたばねアームと、
前記留め具本体を保持するための留め具保持本体とを備える、セキュリティタグ。
【請求項３】
請求項２のセキュリティタグにおいて、前記留め具保持本体が、第一のジョー及び第二のジョーを備え、ジョーの各々が、隔てられた対面する縁部にて終わり、前記隔てられた対面する縁部が、前記スロットと、前記クランプ本体のジョーの開放領域とを形成する、セキュリティタグ。
【請求項４】
請求項３のセキュリティタグにおいて、前記ジョーが、前記クランプ本体の共通の第二の縁部から伸びる、セキュリティタグ。
【請求項５】
請求項３のセキュリティタグにおいて、前記ジョーが、前記クランプ本体と一体に形成される、セキュリティタグ。
【請求項６】
請求項３のセキュリティタグにおいて、前記留め具本体が、第一の直径及び前記第一の直径よりも小さい第二の直径をそれぞれ有する、少なくとも１つの第一の部分及び少なくとも１つの第二の部分を備える、セキュリティタグ。
【請求項７】
請求項６のセキュリティタグにおいて、前記スロットが、前記第二の直径に近似する幅を有し、前記ジョーが、前記第一の部分を受け入れ得るよう第一の位置から第二の位置まで移動し、また、前記第二の部分を保持し得るよう第二の位置から前記第一の位置まで移動するようにした、セキュリティタグ。
【請求項８】
請求項３のセキュリティタグにおいて、前記クランプ本体の一側部が第一の平面を形成し、前記留め具保持本体の第一の側部が、前記第一の平面に対し実質的に平行な第二の平面を形成する、セキュリティタグ。
【請求項９】
請求項３のセキュリティタグにおいて、前記隔てられた対面する縁部の第一の部分が、前記スロットを形成するよう実質的に平行であり、前記スロットの第一の端部が前記留め具本体に対する湾曲部に近似する湾曲部を形成し、前記スロットの前記第二の端部が前記ジョーの開放領域内に開放する解放部分を形成する、セキュリティタグ。
【請求項１０】
請求項９のセキュリティタグにおいて、前記タグ本体が、取り外しプローブ用の通路を有し、前記通路が、前記取り外しプローブの移動を受け入れ、前記リニアクランプの前記第一の縁部と接触するような形態とされる、セキュリティタグ。
【請求項１１】
請求項１０のセキュリティタグにおいて、前記取り外しプローブが、前記リニアクランプを前記直線方向に向けて第一の位置から第二の位置まで動かすべく前記第二の縁部に対して力を提供する、セキュリティタグ。
【請求項１２】
請求項１１のセキュリティタグにおいて、前記リニアクランプは、前記力が終了したとき、前記第二の位置から前記第一の位置まで移動する、セキュリティタグ。
【請求項１３】
請求項３のセキュリティタグにおいて、前記隔てられた対面する縁部の第二の部分が、前記ジョーの開放領域を形成するように直線状であり、前記ジョーの開放領域の第一の端部間の第一の距離が、前記ジョーの開放領域の第二の端部間の第二の距離よりも短いようにした、セキュリティタグ。
【請求項１４】
請求項１のセキュリティタグにおいて、前記タグハウジングが、上側半体及び下側半体を備え、前記下側半体が、前記リニアクランプが前記直線方向に移動するのを助ける案内部を有する、セキュリティタグ。
【請求項１５】
請求項１４のセキュリティタグにおいて、前記下側半体は、前記直線方向への前記リニアクランプの移動に応答して前記ばねアームを偏倚させる支持部を有し、前記支持部が前記力とほぼ直線状に配置される、セキュリティタグ。
【請求項１６】
請求項２のセキュリティタグにおいて、前記ばねアームが、
前記クランプ本体の前記第一の縁部に沿って伸びるばねアーム本体と、
前記ばねアーム本体を前記クランプ本体の一端に接続する湾曲した接続部とを備える、セキュリティタグ。
【請求項１７】
請求項２のセキュリティタグにおいて、前記ばねアームが、前記力に応答して第一の位置から第二の位置まで移動し、また、前記力が停止したとき、前記第二の位置から前記第一の位置まで移動するようにした、セキュリティタグ。
【請求項１８】
請求項３のセキュリティタグにおいて、前記ジョーの開放領域を亙る架橋部を更に備える、セキュリティタグ。
【請求項１９】
請求項１８のセキュリティタグにおいて、前記タグ本体が、取り外しプローブに対する通路を有し、前記通路が、前記架橋部に接触すべく前記取り外しプローブの動きを受け入れ得る形態とされる、セキュリティタグ。
【請求項２０】
請求項１９のセキュリティタグにおいて、前記取り外しプローブが、前記リニアクランプを前記直線方向に向けて第一の位置から第二の位置まで移動させるべく前記架橋部に対して力を付与する、セキュリティタグ。
【請求項２１】
請求項２０のセキュリティタグにおいて、前記リニアクランプは、前記力が停止したとき、前記第二の位置から前記第一の位置まで移動するようにした、セキュリティタグ。
【請求項２２】
請求項３のセキュリティタグにおいて、前記隔てられた対面する縁部の第一の部分が、前記スロットを形成するよう実質的に直線状であり、前記スロットの第一の端部が、第一の幅を有し且つ前記留め具本体に対する湾曲部に近似する湾曲部を形成し、前記スロットの第二の端部が、前記ジョーの開放領域内に開放する解放部分を形成し、前記解放部分が前記第一の幅よりも狭い第二の幅を有する、セキュリティタグ。
【請求項２３】
請求項２２のセキュリティタグにおいて、前記タグハウジングが、上側半体及び下側半体を備え、前記下側半体が、前記リニアクランプが前記直線方向に移動するのを助ける案内部を有する、セキュリティタグ。
【請求項２４】
請求項２３のセキュリティタグにおいて、前記下側半体は、前記リニアクランプが前記直線方向に動くのに応答して前記ばねアームを偏倚させ支持部を有し、前記支持部が、前記スロットにより発生された反時計回り方向モーメントにほぼ等しく且つ前記反時計回り方向モーメントと反対の時計回り方向モーメントを発生させ得るように配置される、セキュリティタグ。
【請求項２５】
セキュリティタグ用のリニアクランプにおいて、
クランプ本体と、
前記クランプ本体の第一の縁部に取り付けられたばねアームと、
スロットを有する留め具保持本体であって、前記スロットが留め具本体を保持し且つ実質的に直線方向に加えられた力に応答して前記留め具本体をスロットから解放する、セキュリティタグ用のリニアクランプ。
【請求項２６】
請求項２５のリニアクランプにおいて、前記留め具保持本体が、第一のジョー及び第二のジョーを備え、ジョーの各々が、隔てられた対面する縁部にて終わり、前記隔てられた対面する縁部が、前記スロットと、前記クランプ本体のジョーの開放領域とを形成する、リニアクランプ。
【請求項２７】
請求項２６のリニアクランプにおいて、前記ジョーが、前記クランプ本体の共通の第二の縁部から伸びる、リニアクランプ。
【請求項２８】
請求項２６のリニアクランプにおいて、前記ジョーが、前記クランプ本体と一体に形成される、リニアクランプ。
【請求項２９】
請求項２６のリニアクランプにおいて、前記クランプ本体の一側部が第一の平面を形成し、前記留め具保持本体の一側部が、前記第一の平面に対し実質的に平行な第二の平面を形成する、リニアクランプ。
【請求項３０】
請求項２６のリニアクランプにおいて、前記隔てられた対面する縁部の第一の部分が、前記スロットを形成するよう実質的に平行であり、前記スロットの第一の端部が前記留め具本体に対する湾曲部に近似する湾曲部を形成し、前記スロットの前記第二の端部が前記ジョーの開放領域内に開放する解放部分を形成する、リニアクランプ。
【請求項３１】
請求項２６のリニアクランプにおいて、前記留め具保持本体の前記第二の縁部が、前記リニアクランプを第一の位置から前記直線方向に向けて第二の位置まで動かす力を受け取る、リニアクランプ。
【請求項３２】
請求項３１のリニアクランプにおいて、前記留め具本体は、前記リニアクランプが前記第二の位置にあるとき、前記ジョーの開放領域内に動き、これにより前記留め具本体を前記留め具保持本体から解放する、リニアクランプ。
【請求項３３】
請求項３２のリニアクランプにおいて、前記リニアクランプは、前記力が終了したとき、前記第二の位置から前記第一の位置まで移動する、リニアクランプ。
【請求項３４】
請求項２６のリニアクランプにおいて、前記隔てられた対面する縁部の第二の部分が、前記ジョーの開放領域を形成するように直線状であり、前記ジョーの開放領域の第一の端部間の第一の距離が、前記ジョーの開放領域の第二の端部間の第二の距離よりも短いようにした、リニアクランプ。
【請求項３５】
請求項３１のリニアクランプにおいて、前記ばねアームが、
前記クランプ本体の前記第一の縁部に沿って伸びるばねアーム本体と、
前記ばねアーム本体を前記クランプ本体の一端に接続する湾曲した接続部とを備える、リニアクランプ。
【請求項３６】
請求項３５のリニアクランプにおいて、前記ばねアームが、前記力に応答して第一の位置から第二の位置まで移動し、また、前記力が停止したとき、前記第二の位置から前記第一の位置まで移動するようにした、リニアクランプ。
【請求項３７】
請求項３６のリニアクランプにおいて、前記ばねアームが前記力とほぼ直線状に偏倚される、リニアクランプ。
【請求項３８】
請求項２６のリニアクランプにおいて、前記ジョーの開放領域を亙る架橋部を更に備える、リニアクランプ。
【請求項３９】
請求項３８のリニアクランプにおいて、前記架橋部が、前記リニアクランプを前記直線方向に向けて第一の位置から第二の位置まで動かす力を受け取る、リニアクランプ。
【請求項４０】
請求項３９のリニアクランプにおいて、前記留め具本体は、前記リニアクランプが前記第二の位置にあるとき、前記ジョーの開放領域内に動き、これにより前記留め具本体を前記留め具保持本体から解放する、リニアクランプ。
【請求項４１】
請求項４０のリニアクランプにおいて、前記リニアクランプは、前記力が停止したとき、前記第二の位置から前記第一の位置まで移動するようにした、リニアクランプ。
【請求項４２】
請求項２６のリニアクランプにおいて、前記隔てられた対面する縁部の第一の部分が、前記スロットを形成するよう実質的に直線状であり、前記スロットの第一の端部が、第一の幅を有し且つ前記留め具本体に対する湾曲部に近似する湾曲部を形成し、前記スロットの第二の端部が、前記ジョーの開放領域内に開放する解放部分を形成し、前記解放部分が前記第一の幅よりも狭い第二の幅を有する、リニアクランプ。
【請求項４３】
請求項４２のリニアクランプにおいて、前記留め具保持本体の前記第二の縁部が、前記リニアクランプを第一の位置から前記直線方向に向けて第二の位置まで動かす力を受け取る、リニアクランプ。
【請求項４４】
請求項４３のリニアクランプにおいて、前記留め具本体は、前記リニアクランプが前記第二の位置にあるとき、前記ジョーの開放領域内に動き、これにより前記留め具本体を前記留め具保持本体から解放する、リニアクランプ。
【請求項４５】
請求項４４のリニアクランプにおいて、前記リニアクランプは、前記力が終了したとき、前記第二の位置から前記第一の位置まで移動する、リニアクランプ。
【請求項４６】
請求項４２のリニアクランプにおいて、前記ばねアームが、
前記クランプ本体の前記第一の縁部に沿って伸びるばねアーム本体と、
前記ばねアーム本体を前記クランプ本体の一端に接続する湾曲した接続部とを備える、リニアクランプ。
【請求項４７】
請求項４６のリニアクランプにおいて、前記ばねアームが、前記力に応答して第一の位置から第二の位置まで移動し、また、前記力が停止したとき、前記第二の位置から前記第一の位置まで移動するようにした、リニアクランプ。
【請求項４８】
請求項４７のリニアクランプにおいて、前記ばねアームが、偏倚されて、前記スロットに起因する反時計回り方向モーメントにほぼ等しく且つ前記反時計回り方向モーメントと反対方向である時計回り方向モーメントを発生させる、リニアクランプ。
【請求項４９】
セキュリティシステムにおいて、
留め具本体を保持するスロットを有するリニアクランプを備えるセキュリティタグと、
前記セキュリティタグを検出する監視システムと、
前記監視システムが前記セキュリティタグを検出するならば、警報を伝達する警報システムとを備える、セキュリティシステム。
【請求項５０】
請求項４９のセキュリティシステムにおいて、前記セキュリティタグを物品から取り外す取り外し装置を更に備える、セキュリティシステム。
【請求項５１】
請求項５０のセキュリティシステムにおいて、前記取り外し装置が取り外しプローブを備える、セキュリティシステム。
【請求項５２】
請求項５１のセキュリティシステムにおいて、前記セキュリティタグが、タグハウジング及び留め具本体を更に備え、前記リニアクランプが、前記留め具本体を保持し得るよう前記タグハウジング内に配置され、前記リニアクランプが、前記留め具本体を前記スロットから解放すべく前記取り外しプローブにより提供される力に応答して実質的に直線方向に動くようにした、セキュリティシステム。
【発明の詳細な説明】
【技術分野】
【０００１】
電子物品サーベイランス（ＥＡＳ）システムは、ある物品を権限無く管理領域外に持ち出すのを防止する設計とされている。１つの典型的なＥＡＳシステムは、監視システムと、１つ以上のセキュリティタグとを備えることができる。監視システムは、管理領域に対するアクセス点にサーベイランス領域を形成することができる。セキュリティタグは、衣類物品のような監視物品に締結することができる。監視物品がサーベイランス領域に入ったならば、権限なく持ち出すことを示す警報を発動させることができる。
【背景技術】
【０００２】
セキュリティタグは、多数の異なる物品に締結することができる。締結システムは、権限なく解放することを比較的困難にしつつ、セキュリティタグを権限に基づいて解放することを許容することが望ましい。従って、セキュリティタグ一般に、特に、セキュリティタグの締結システムに対し改良された技術が必要とされている。
【０００３】
本発明の実施の形態とみなされる主題事項は、本明細書の結論部分に特に指摘し且つ明確に権利主張されている。しかし、本発明の実施の形態は、その目的及び有利な効果と共に、構成及び作用方法の双方に関して、添付図面と共に読むとき、以下の詳細な説明を参照することで最も良く理解されよう。
【発明の開示】
【発明が解決しようとする課題】
【０００４】
本発明の目的は上記従来のセキュリティタグの欠点を無くした改良したセキュリティタグを提供することである。
【０００５】
本発明の他の目的は、タグハウジング内に配置されたリニアクランプであって、留め具本体を保持し、且つ留め具本体をスロットから解放するための力に応答して実質的に直線方向に動くようにするスロットを有するリニアクランプを備えるセキュリティタグを提供することである。
【０００６】
本発明の別の目的は、クランプ本体と、クランプ本体の第一の縁部に取り付けられたばねアームと、を備えた、セキュリティタグ用のリニアクランプを提供することである。
【課題を解決するための手段】
【０００７】
本発明の実施の形態は、セキュリティタグを取り付け且つ取り外す技術を対象とすることができる。例えば、本発明の１つの実施の形態は、タグハウジングと、タックすなわち留め具本体と、リニアクランプすなわち直線移動止め具（ｌｉｎｅａｒ  ｃｌａｍｐ）とを有するセキュリティタグを備えることができる。セキュリティタグを衣類製品のようなある物品に取り付けるためには、留め具本体を衣類物品を通して且つタグハウジングの穴に挿入する。リニアクランプは、留め具本体を受け入れ且つ保持し、これにより取り付け過程を完了させるべくタグハウジング内に配置することができる。セキュリティタグを取り外すためには、取り外しプローブを有する取り外し装置を使用してリニアクランプに力を加える。この力は、リニアクランプを実質的に直線方向に動かし、留め具本体をリニアクランプから解放する。本明細書で使用する「リニア」という語は、実質的に直線状の線に沿って任意の特定の方向に動くことを意味するが、実施の形態はこの意味にのみ限定されるものではない。１つ以上のインターフェイスすなわち相互作用要素がリニアクランプを直線方向に動かすのを助ける。留め具本体がリニアクランプから解放されたならば、留め具本体は、タグハウジングから除去してセキュリティタグを物品から取り外すことができる。
【０００８】
本明細書にて「１つの実施の形態」又は「ある実施の形態」に言及することは、実施の形態に関して説明した特定の特徴、構造体又は特性が本発明の少なくとも１つの実施の形態に含まれることを意味するものであることを認識する価値がある。本明細書のいろいろな箇所にて「１つの実施の形態において」という表現を使用することは、必ずしも全て同一の実施の形態を意味するものではない。
【０００９】
本発明の実施の形態を完全に理解するため多数の特定の詳細を本明細書に記載する。しかし、当該技術分野の当業者には、本発明の実施の形態はこれら特定の詳細を伴わずに実施が可能であることが理解されよう。その他の場合、本発明の実施の形態を不明確にしないように、周知の方法、手順、構成要素及び回路は詳細に説明しない。本明細書に開示した特定の構造上及び機能上の詳細は、代表的なものであり、必ずしも本発明の範囲を制限するものではないことが理解できる。
【発明を実施するための最良の形態】
【００１０】
次に、全体を通じて同様の部品を同様の参照番号で表示する図面を詳細に参照すると、図１には、本発明の１つの実施の形態によるセキュリティタグが示されている。１つの実施の形態において、図１には、その全てが頂部壁２Ｅにより接続された側壁２Ａ、２Ｂ、２Ｃ、２Ｄを有する上側ハウジング２を備えるセキュリティタグが示されている。セキュリティタグ１は、また、底部壁３Ｅによって接続された側壁３Ａ、３Ｂ、３Ｃ、３Ｄを有する下側ハウジング３も備えている。上側ハウジング２及び下側ハウジング３は、相応したすなわち関係した側壁対（２Ａ、３Ａ）、（２Ｂ、３Ｂ）、（２Ｃ、３Ｃ）、（２Ｄ、３Ｄ）に沿って接続され又は合わさって閉じたタグ本体１Ａを形成する。
【００１１】
１つの実施の形態において、ハウジング２、３は、硬いすなわち堅固な材料で出来ている。使用可能な堅固なすなわち硬い材料は、例えば、射出成形ＡＢＳプラスチックのような硬質のプラスチックとすることができよう。プラスチックを使用するならば、ハウジングの合わさる側壁は、図２の超音波溶接１Ｂ又は同様の接続機構により接続することができる。
【００１２】
セキュリティタグ１は、図２に示すように、拡張したタックすなわち留め具ヘッド部４Ａと、スロット又は溝４Ｃ及び尖った先端４Ｄが設けられた細長いタックすなわち留め具本体４Ｂとを備えるものとして示したタック組立体すなわち留め具組立体４を備えている。留め具本体４は、タグ本体１Ａをセキュリティタグ１により保護すべき物品５１に取り付けるため使用することができる。この実施の形態において、物品５１は、例えば、衣類物品から成るものとすることができる。
【００１３】
図２には、本発明の１つの実施の形態に従い線Ａ−Ａに沿った図１のセキュリティタグの断面図が示されている。セキュリティタグ１を感知し、従って、タグ及び取り付けた物品５１の存在を検出するため、ハウジング２、３の壁２Ｅ、３Ｅの内面２Ｆ、３Ｆには、共にＥＡＳセンサ５を受け入れる内部キャビティ１Ｃを画成するフレーム部材２Ｇ、３Ｇが設けられている。ＥＡＳセンサ５は、検出可能な信号を発生させ且つ、米国特許第４，５１０，４８９号及び米国特許第４，５１０，４９０号に開示されたように、音響学的に共鳴する磁気センサとすることができる。センサ５に適したその他の可能な磁気ＥＡＳセンサは、米国特許第４，６８６，５１６号及び米国特許第４，７９７，６５８号に開示したものとすることが考えられる一方、その他の可能な代表的な無線周波数（ＲＦ）ＥＡＳセンサは、米国特許第４，４２９，３０２号及び米国特許第４，３５６，４７７号に開示されたものとすることが考えられる。
【００１４】
図３、図４Ａ及び図４Ｂには、セキュリティタグ１の本体に対する内部及び外部造作構造部が示されている。より特定的には、図３には、本発明の１つの実施の形態によるセキュリティタグの下側ハウジングの内部の図が示されている。図４Ａには、本発明の１つの実施の形態によるセキュリティタグの上側ハウジングの内部の図が示されている。図４Ｂには、本発明の１つの実施の形態によるセキュリティタグの上側ハウジングの外部の図が示されている。図３、図４Ａ、図４Ｂの造作構造部については、以下により詳細に説明する。
【００１５】
図１を再度参照すると、物品５１は、留め具組立体４によりタグ本体１Ａに接続することができる。このことは、留め具本体４Ｂを上側ハウジング２の壁２Ｅの開口部２Ｈ内に挿入することにより行うことができる。留め具本体４Ｂが完全に挿入されたとき、下側ハウジングの壁３Ｅの内面３Ｆから伸びる直立キャビティ又はカラー３Ｈは、留め具４の尖った端部４Ｄを受け入れることができる。一方、留め具ヘッド部４Ａは、壁２Ｅの上面２Ｊの凹状領域２Ｉ内に着座する。このように、留め具ヘッド部４Ａと留め具壁との間に物品５１が保持される。
【００１６】
セキュリティタグ１は、図５に示すように、リニアクランプすなわち直線移動止め具又は締め具（以下クランプ）５００を備えることもできる。リニアクランプ５００は、留め具本体がタグ本体から引き出されるのを解放可能に防止するためタグ本体１Ａ内に配置されている。このように、留め具組立体４及び物品５１は、リニアクランプ５００によってセキュリティタグ１に解放可能に係止される。留め具組立体４は、該留め具組立体を力に応答して直線方向に動かすことによりリニアクランプ５００から解放することができる。リニアクランプ５００については、以下に図５を参照しつつ、詳細に説明する。
【００１７】
この実施の形態において、セキュリティタグ１は、権限のある者以外、リニアクランプ５００を解放すべくリニアクランプにアクセスすることが困難となるように更に設計することができる。この目的のため、タグ本体１Ａは、リニアクランプ５００へのアクセスが図３に示すように円弧状通路７を介して行われるような形態とすることができる。円弧状通路７は、円弧状プローブ８に適合する通路とすることができる。円弧状通路７は、壁、ポスト又は支持部のような任意の要素又は構造体により画成することができるが、実施の形態は、この構成に限定されるものではない。例えば、円弧状通路７は、１つ以上の内壁、側壁のポスト及びタグ本体１Ａの上壁及び下側と境が接するようにすることができる。この形態において、円弧状通路７に適合するプローブ８を使用してリニアクランプ５００に達し且つ該クランプを解放し、従って、留め具組立体４及び物品５１をタグ本体１Ａから取り外すために使用することができる。
【００１８】
図３に示すように、円弧状通路７は、湾曲した内壁７Ａと境が接するようにすることができる。この壁は、底部ハウジング３の内面３Ｆから上方に伸びてセキュリティタグ１の上側ハウジング２の内面と当接する。壁７Ａは、底部ハウジング３の側壁３Ｄから更に隔てられ、その外端７Ａ´は側壁３Ａの内方湾曲部分３Ａ´にて終わっている。壁３Ａの内方湾曲部分３Ａ´の結果、下側ハウジング３の側壁３Ａ、３Ｄの間に空間又はスロット９Ａが形成される。
【００１９】
スロット９Ａは、上側ハウジング２の側壁２Ａ、２Ｄの間で同様のスロット９Ｂと協働し、通路７の外端７´内への立入りすなわちアクセスを可能にする第二の開口部９を画成する。この立入り箇所にて、側壁２Ａは、また、部分２Ａ´にて内方に湾曲し、該部分２Ａ´は、下側ハウジング３の側壁３の湾曲した側壁３Ａ´と合わさる。
【００２０】
通路７は、上側ハウジング２の内面２Ｆから下方に伸びる第二の湾曲壁７Ｂにより更に画成することができる。壁７Ｂは、湾曲した壁７Ａの内端の外方に配置することができる。
【００２１】
壁７Ｂが存在することは、リニアすなわち直線移動クランプ５００に隣接するその内端７"にて通路７の形態を変化させ又は変更する。この形態の変化又は変更は、通路７を通り且つ、リニアクランプ５００にアクセスするためプローブ８を受け入れることのできる通路７に対するキー溝を画成する。この場合、壁７Ｂは、通路の断面を例えば、実質的に矩形から実質的にＬ字形に変化させることができる。
【００２２】
通路７の内端７"に隣接して、下側ハウジング２及び上側ハウジング３には、端部壁２Ｄ、３Ｄに当接する壁部分９Ａ、１１Ａにて終わる湾曲壁９、１１を更に設けることができる。壁９、１１は、通路７の外方にあり、端部壁２Ｄ、３Ｄにより取込み領域１３を画成し、この取込み領域は、リニアクランプ５００へのアクセスを防止する。この領域は、リニアクランプ５００に到達しようとしてタグ本体１Ａの通路７内に無権限の物が導入されるのを阻止する安全手段を提供する。
【００２３】
図５は、本発明の１つの実施の形態による図１のセキュリティタグにて使用される第一のリニアクランプの図である。図５には、リニアクランプすなわち直線移動止め具（ｌｉｎｅａｒ  ｃｌａｍｐ）５００が図示されている。上述したように、リニアクランプ５００は、留め具本体４Ｂがタグ本体１Ａから引き出されるのを解放可能に防止し得るようにすることができる。より具体的には、更なる実施の形態によれば、リニアクランプ５００は、円弧状の通路７内を動く円弧状のプローブ８を介して留め具本体４Ｂの解放に適応するようにされている。
【００２４】
１つの実施の形態において、直線移動止め具すなわちリニアクランプ５００は、直線方向に動くことにより留め具本体４Ｂを解放することができる。上述したように、直線方向は、実質的に直線に沿った任意の特定の方向への動きを意味するが、実施の形態は、この構成にのみ限定されるものではない。このことは、例えば、回動点の周りの回転動作と相違する。１つの実施の形態において、直線方向は、線５４２で示されている。線５４２の各端部における矢印は、リニアクランプ５００が特定の用途に対し所望であるように、線５４２に沿って両方向に向けて沿って動くことができることを示す。一例として線５４２が使用されるが、任意の直線方向を使用することができ、これは、依然として本発明の範囲に属することが理解できる。
【００２５】
１つの実施の形態において、リニアクランプ５００は、クランプ本体５２４及び留め具保持本体５３６を備えることができる。留め具保持本体５３６は、クランプ本体５２４の一体部分とすることができる。留め具保持本体５３６は、ジョー５０６、５１８を備えることができる。ジョー５０６、５１８の各々は、クランプ本体５２４の平面の外方に伸び、次に、他方のジョーに向けて内方に伸びる。ジョー５０６、５１８は、更に対面する縁部５２２、５２６にて終わる。これらの縁部は、クランプ本体５２４の共通の縁部５１０から互いに向けて内方に伸びてジョーの開放領域を形成し、次に、互いに離れるように外方に湾曲し、留め具本体４Ｂを受け入れるスロット５０４を画成する。次に、縁部５２２、５２６は、整合された仕方にて続き、細長いスロット５４８を形成し、クランプ本体５２４のスロット５１４にて終わる。
【００２６】
１つの実施の形態において、スロット５０４は、互いに平行な１組みの線を備え、一端における湾曲部５０８は線を互いに接続する。スロット５０４の幅は、留め具溝４Ｃの直径に等しく又はその直径よりも僅かに大きくすることができる。幅は、リニアクランプ５００が留め具本体４Ｂが挿入された状態で直線方向５４２に向けて自由に動くのに十分でなければならない。しかし、幅は、留め具本体４Ｂがジョー５０６、５１８から垂直方向に引き出されるのを防止するにも十分でなければならない。湾曲部５０８は、また、例えば、留め具本体４Ｂ又は４Ｃの湾曲部に近似したものとしてもよい。スロット５０４は、また、点５４４、５４６の間に画成された解放部分を備え、リニアクランプ５００の直線方向への動きに応答して留め具本体がスロット５０４からジョーの開放領域まで動くのを許容する。
【００２７】
１つの実施の形態において、留め具本体４Ｂの鋭角な端部がスロット５０４内に挿入されたとき、留め具溝４Ｃがジョー５０６、５１８と整合する迄、ジョー５０６、５１８は拡がって分離することができる。この整合は、ジョー５０６、５１８がその当初の弛緩した位置に戻り且つ留め具４を捕捉することを許容する。ジョー５０６、５１８が留め具４を捕捉したならば、ジョーは、更に以下に説明するように、留め具４がスロット５０４から引き出されるのに抵抗する。
【００２８】
１つの実施の形態において、細長いばねアーム５０２は、接続領域５２８により縁部５３２の一側部５３０に取り付けることができる。細長いばねアーム５０２は、縁部５３２の長さに沿って伸びることができ、また、クランプ本体５２４の平面から外になる。細長いばねアーム５０２は、リニアクランプ５００を１つ以上の支持部に対して偏倚させ、当初位置の領域を確立することができる。支持部は、線５４０に沿って配置しなければならない。線５４０は、線５４２で示すように、クランプ５００の直線方向への動きに対し実質的に平行でなければならない。矢印５５０で示したように、円弧状のプローブ８によって加えられた力は、同様に、線５４０に沿って配置された点５５８にて加えられる。可能な支持部６０８の一例は、図６に示した支持部６０８とすることができる。円弧状のプローブ８により加えられた力の線は、図６に示した位置から変位するため、これに応じて支持部の位置は、この力とほぼ直線状の位置に止まるように動かなければならないことが理解できる。
【００２９】
図６には、本発明の１つの実施の形態による第一のリニアクランプと共に、図１のセキュリティタグの下側ハウジングの内部の部分図が図示されている。図６には、下側ハウジング３内に配置されたリニアクランプ５００が図示されている。上側ハウジング２及び下側ハウジング３は、直線方向５４２への動きを除いて、全ての方向へのリニアクランプ５００の動きを規制するいろいろな構造体を備えることができる。正確な構造体及び移動量は、以下に更に説明するように、いろいろな実施例に従って変更することができる。
【００３０】
図６はまた、リニアクランプ５００のスロット５０４内に挿入される留め具４を示す。上述したように、物品５１は、留め具組立体４によってタグ本体１Ａに接続することができる。留め具本体４Ｂの鋭角な端部４Ｄは、上側ハウジング２の開口部２Ｈを通して下方の直線方向に向けて導入することができる。上側ハウジング２の部分２Ｋは、ジョー５０６、５１８の上方にてばね止め本体５２４の中空部分内に嵌まり且つ開口部２Ｈを保持する形状とすることができる。部分２Ｋは留め具本体４Ｂをジョーの対面する縁部５２２、５２６により画成されたスロット５０４に導くことができる。これによってジョーは、拡がり又は開放し且つ留め具本体４Ｂがジョーを通ってスロット５０４内に進むのを許容する。
【００３１】
所望のスロット４Ｃ、例えば、留め具ヘッド部４Ａ及び物品５１を上側ハウジング２の壁２Ｅに固着するスロットにおいて、留め具の下方への移動が停止されたとき、ジョー５０６、５１８は後退し且つ留め具本体４Ｂを掴む。この位置において、ジョー５０６、５１８は、留め具４の上方への動きを阻止する。このようにして、留め具４及び物品５１は、タグ本体１Ａに係止された状態となる。
【００３２】
留め具４をタグ本体１Ａから解放するため、プローブ８のＬ字形の前端８Ａが通路７のＬ字形の内端７″内に進む迄、円弧状のプローブ８をタグ本体１Ａの通路７内に導入する。このことは、プローブ端部８Ａをクランプ本体５２４の共通の縁部５１０に向けて動かすことになる。プローブ端部８Ａは、線５４０に沿ってリニアクランプ５００に力５５０を提供するとき、リニアクランプ５００が、基本的に支持部６０８に向けて方向５４２に向けて移動する。リニアクランプ５００が線５４０に沿って動くとき、留め具本体４Ｂは、前記留め具本体が点５４４、５４６により画成された解放部分に達する迄、スロット５０４に沿って摺動する。留め具本体４Ｂが解放部分に入ると、前記留め具本体は、最終的にジョーの開放領域内に移動し、これにより留め具本体４Ｂをジョーの把持又は掴み状態から解放する。これにより、留め具４はジョーを経て留め具ヘッド部４Ａの上向きの力を介して上方の直線方向に移動し、これにより留め具本体４Ｂをタグ本体１Ａから及び物品５１をセキュリティタグ１から引き出し且つ分離させることができる。
【００３３】
１つの実施の形態において、スロット５０４は、両端の間にて均一な幅を有し、前記幅は、留め具本体４Ｂがスロット５０４に沿って摺動するとき、ジョー５０６、５１８の抵抗力を多少はあるにしても、殆ど提供しない。リニアクランプ５００の動作に対する抵抗力は、主として、ばねアーム５０２が支持部６０８により圧縮されるとき、前記ばねアーム５０２により提供されるようにする必要がある。上述したように、支持部６０８とばねアーム５０２との間の接触点は、円弧状のプローブ８により提供される力とほぼ直線上に並ばなければならない。このようにして、発生されるモーメントは実質的にゼロであり、リニアクランプ５００の正味動作は、殆ど回転せずに、主として方向５４２に向かう必要がある。
【００３４】
プローブ８により加えられた平面内の力の結果、リニアクランプ５００が直線方向に動く間、接続領域５２８における細長いばねアーム５０２が圧縮される。ばねアーム５０２は、円弧状のプローブ８と縁部５１０との接触点とほぼ整列しており且つ線５４０に沿って方向５４２に加えられる力と直線状である方向６０２で示したように、支持部６０８に対して偏倚させることができる。留め具４がタグ本体１Ａから分離した後、プローブ８を通路７から除去することができる。このことは、プローブ８が通路７から引き出されるとき、前記プローブ８をリニアクランプ５００から非係合状態にする。このように、リニアクランプ５００への力が除去され、細長いばねアーム５０２は拡張する。これによりリニアクランプ５００は反対の直線方向５４２に向けて動く。これにより、リニアクランプ５００はその当初位置に戻され、再度物品をセキュリティタグ１に取り付けるため、留め具本体４Ｂが再度入るのを待つ。
【００３５】
下側ハウジング３は、直線移動止め具すなわちリニアクランプ５００を直線方向５４２に向けて動くのを助けるいろいろな案内インターフェース部すなわち相互作用部を備えることができる。１つの実施の形態において、下側ハウジング３は図３及び図６に示した１対の案内部２５、２６を有することができる。案内部２５、２６は、リニアクランプ５００を直線方向５４２に向けて案内するのを助けることもできる。案内部は、各々がリニアクランプ５００の縁部５５２、５５４に接触する細長い縁部を有する実質的に矩形の構造体とすることができる。円弧状のプローブ８からの力が線５４０に沿ってリニアクランプ５００の縁部５１０に加えられると、リニアクランプ５００は、直線方向５４２に向けて移動し始める。案内部２５、２６は、リニアクランプ５００の回転動作又は回動動作を抑制しつつ、かかる直線方向への動きを助ける。同様に、案内部２５、２６は、円弧状のプローブ８からの力が除去されたならば、ばねアーム５０２がその当初位置に戻るのに応答してリニアクランプ５００が当初位置に戻るのを助けることもできる。
【００３６】
直線方向５４２へのリニアクランプ５００の動きを助けるため、その他の案内相互作用部を使用することも可能であることが理解できる。例えば、リニアクランプ５００は、クランプ本体５２４に形成された１組みのスロットを有することができる。スロットは、側部５５２、５５４に対して平行とすることができる。スロットはまた下側ハウジング３に形成された相応する案内レールに適合するような設計としてもよい。スロット−レールの相互作用部は、リニアクランプ５００が直線方向５４２に向けて動くのを助ける。別の例において、下側ハウジング３は、リニアクランプ５００の相応する側部５５２、５５４に対して接触する１対の案内支柱を有することができる。案内支柱は、直線方向への移動を促進しつつ、回転動作を制限する位置に配置することができる。更に別の例において、リニアクランプ５００は、側部５５２、５５４にそれぞれ取り付けられたフランジを有することができる。この実施の形態において、下側ハウジング３は、フランジを受け入れ且つ回転動作を制限しつつ、フランジが直線方向５４２に向けて動くのを許容し得るよう１対の相応するスロットを有することもできる。実施の形態はリニアクランプ５００を直線方向に案内するのを助けるため上記及びその他の構造体に限定されるものではない。
【００３７】
特定の実施例に対する直線方向への移動量は、スロット５０４の長さ、ジョーの開放領域を形成する角度、留め具本体４Ｂの直径等のような幾つかの因子に対応して変更することもできる。例えば、直線方向への移動量は、留め具本体４Ｂの直径を僅かに上廻るようにする、すなわち留め具溝４Ｃをジョーの開放領域内に解放し得るよう、約１．２７ｍｍ（．０５インチ）とすることができる。幾つかの場合、留め具４が垂直に動く間、すなわち留め具本体１Ａから引き出されたとき、留め具本体４Ｂがジョー５０６、５１８と実質的に干渉しないことを保証し得るようより大きい直線方向への移動量を有することが望ましいことがある。例えば、１つの実施の形態において、リニアクランプ５００に対する当初位置は、プローブがその最大伸長状態のとき、リニアクランプ５００を細長いばねアーム５０２の偏倚力に抗して１．１４（０．０４５）から１．６５ｍｍ（０．０６５インチ）の範囲にて直線方向に動かすような位置とするが、実施の形態は、かかる構成に限定されるものではない。
【００３８】
図７には、本発明の１つの実施の形態による第二のリニアクランプの分解図が図示されている。図７には、第二のリニアクランプすなわち直線移動止め具７００が図示されている。第二のリニアクランプ７００は、例えば、第一のリニアクランプ５００と同様のものとすることができる。例えば、図５の要素５０２、５０６、５０８、５１０、５１４、５１８、５２２、５２４、５２６、５２８、５３０、５３２、５３４、５３６、５４０、５４２、５４４、５４６、５４８、５５０、５５２、５５４、５５８は、図７の要素７０２、７０６、７０８、７１０、７１４、７１８、７２２、７２４、７２６、７２８、７３０、７３２、７３４、７３６、７４０、７４２、７４４、７４６、７４８、７５０、７５２、７５４、７５８に相応するものとすることができる。
【００３９】
１つの実施の形態において、直線移動止め具すなわちリニアクランプ７００はスロット７０４を含むことができる。スロット７０４は、両端を有するようにすることができる。第一の端部は、留め具本体４Ｂに相応する湾曲部７０８に最も近い端部として画成することができる。第二の端部は、解放点７４４、７４６の間の端部として画成することができる。１つの実施の形態において、第一の端部の間の第一の幅は、第二の端部の間の第二の幅と相違するものとすることができる。このことは、両端が例えばスロット５０４内の留め具本体４Ｂの動きを容易にし得るよう均一な幅を有する、第一のリニアクランプ５００の場合と相違する。より具体的には、１つの実施の形態において、第一の端部の幅は、第二の端部の幅よりも大きくすることができる。例えば、スロット７０４を形成する壁の間の幅は、これら幅が解放点７４４、７４６に接近するに伴い狭小となるようにしてもよい。これと代替的に、スロット７０４を形成する壁の間の幅は、解放点７４４、７４６に達する直前迄、均一であるようにしてもよく、この場合、壁は、その後、互いに向けて曲がり解放点７４４、７４６の間の幅を狭小にするようにしてもよい。幅間の実際の相違は、留め具溝４Ｃの直径、留め具本体４Ｂがスロット７０４を通って動くことに対する所望の抵抗程度、スロット７０４の長さ、予想される直線方向への動き等々のような多数の因子に従って変更することができる。実施の形態は、この構成にのみ制限されるものではない。
【００４０】
図８には、本発明の１つの実施の形態による第二のリニアクランプと共に、図１のセキュリティタグの下側ハウジングの内部の部分図が図示されている。図８には、下側ハウジング３内に配置された第二のリニアクランプ７００が図示されている。クランプ本体７２４は、下側ハウジング３内でいろいろな支持壁により支持することができる。例えば、１つの実施の形態において、リニアクランプ７００は、案内部２５、案内部２６及び支持部８０８により規制される。支持体は、リニアクランプ７００に対する直線運動の方向及び移動量を画定することを助ける。細長いばねアーム７０２は、例えば、図８に図示するように、一端７３４が支持部８０８、及び案内部２５に接した状態で静止することができる。
【００４１】
図８は、またリニアクランプ７００のスロット７０４内に挿入される留め具４を示す。留め具４は、図６に関して説明した仕方と同様の仕方にてリニアクランプ７００により捕捉することができる。しかし、解放作用は、以下により詳細に説明するように、スロット７０４の形態を一つの理由として相違する。
【００４２】
取り外し過程の間、プローブ端部８Ａがクランプ本体７２４の共通の縁部７１０に接触する迄、円弧状のプローブ８をタグ本体１Ａの通路７内に導入することができる。プローブ端部８Ａが、線７４０に沿ってリニアクランプ７００に力７５０を加えると、リニアクランプ７００は支持部８０８に向けて実質的に方向７４２に動くことができる。上述したように、スロット７０４は、図７に関して上記に説明したように２つの幅を有するものとすることができる。第一の幅は、留め具溝４Ｃの直径と等しくし又はその直径よりも僅かに大きくすることができる。第二の幅は、解放点７４４と７４６との間の距離が留め具溝４Ｃの直径よりも僅かに短いように、前記幅が僅かに小さくなる迄、減少させることができる。このことは、リニアクランプ７００が線７４０に沿って実質的に移動するとき、スロット７０４と留め具溝４Ｃとの間に締まり嵌め状態を形成することができる。解放点７４４、７４６は留め具溝４Ｃを経て縦断するように押し拡げなければならないから、解放点７４４、７４６によって抵抗力８１２が形成される。円弧状のプローブ８からの力７５０と組み合わさった抵抗力８１２は、図８に図示するように反時計回り方向モーメント８１６を発生させることができる。ばねアーム７０２からの抵抗力８２４は、下側ハウジング３との接触点８２８に配置される。接触点８２８を端部７３４に向けてばねアーム７０２に配置することは、時計回り方向への抵抗モーメント８２０を発生させることになる。その結果、接触点８２８は、スロット７０４の狭小化に起因する反時計回りモーメント８１６にほぼ等しく且つ前記モーメントと反対方向の時計回りモーメント８２０を発生させるように配置されなければならない。従って、正味回転力はほぼゼロのままとすることができる。従って、円弧状のプローブ８からの力は、リニアクランプ７００によって直線方向７４２に向けた実質的に直線方向への動きを生じさせる。直線方向への移動量は、図５、図６に関して上述したものと同一の変数が作用するものとすることができる。留め具本体４Ｂが解放部分に入るとき、前記留め具本体は、最終的にジョーの開放領域内に移動し、これにより留め具本体４Ｂをジョーの把持又は掴み状態から解放する。これにより、留め具４は、留め具ヘッド部４Ａへの上向きの力を介してジョーを経て上方へ直線方向に移動し、これにより留め具本体４Ｂをタグ本体１Ａから及び、物品５１をセキュリティタグ１から引き出し且つ分離させることができる。
【００４３】
１つの実施の形態において、図８に示すように、支持部８０８とばねアーム７０２との間に接触点８２８があるようにすることができる。支持部８０８の配置は、線８０４で示すように、スロット７０４に起因する抵抗力８１２を補償し得るよう接触点の移動を端部７３４に向けて伝達するためであることを認識すべきである。ばねアーム７０２の実際の長さ及び支持部８０８を位置決めすることは、所定の実施例に対しスロット７０４により形成される抵抗力の程度に依存するものとし、実施の形態は、この構成にのみ限定されるものではない。
【００４４】
プローブ８により加えられた平面内の力の結果として、クランプ本体７２４が直線方向に動く間、接続領域７２８における細長いばねアーム７０２は圧縮される。ばねアーム７０２は、留め具本体４Ｂが解放される迄、支持部７０８を圧縮することができる。留め具４がタグ本体１Ａから分離された後、プローブ８を通路７から除去する。このことは、プローブ８が通路７から引き出されるとき、プローブ８をクランプ本体７２４から非係合状態にする。このように、リニアクランプ７００に加わる力が除去され、細長いばねアーム７０２は反撥する。これによりリニアクランプ７００は反対の直線方向７４２に向けて移動する。直線方向７４２に向けた移動は、上述したように、案内部２５、２６の助けを受ける。リニアクランプ７００は、これによりその当初位置に戻され、物品をセキュリティタグ１に再度取り付けるべく留め具本体４Ｂが再度入るのを待つ。
【００４５】
幾つかの実施例において、依然、多少の僅かな回転は生じるが、主要動作は、直線方向７４２に向けたものであるままであることを認識すべきである。更に、留め具本体４Ｂがジョーの開放領域内に解放されたならば、ジョー７０６、７１８の抵抗力は消滅することが理解されよう。残りの力は、円弧状のプローブ８からの力及びばねアーム７０２からの抵抗力であろう。従って、リニアクランプ７００を更に動かすと、時計回り方向への回転動作となる傾向となる。しかし、留め具４は既にリニアクランプ７００から解放されているから、この動作は、セキュリティタグ１の作用にとって重要なものではない。
【００４６】
図９には、本発明の１つの実施の形態に従い、図１のセキュリティタグにて使用される第三のリニアクランプの分解図が図示されている。図９には、第三のリニアクランプすなわち直線移動止め具９００が図示されている。第三のリニアクランプ９００は、構造、拘束、支持、位置決め及び作用の点にて第一のリニアクランプ５００と同様である。より具体的には、要素５０２、５０４、５０６、５０８、５１０、５１２、５１４、５１６、５１８、５２０、５２２、５２４、５２６、５２８、５３０、５３２、５３４、５３６、５４０、５４２、５４４、５４６、５４８、５５０、５５２、５５４は、要素９０２、９０４、９０６、９０８、９１０、９１２、９１４、９１６、９１８、９２０、９２２、９２４、９２６、９２８、９３０、９３２、９３４、９３６、９４０、９４２、９４４、９４６、９４８、９５０、９５２、９５４とそれぞれ相応する。
【００４７】
１つの実施の形態において、第三の直線移動止め具すなわちリニアクランプ９００は架橋部９３８を含むことができる。架橋部９３８は、ジョーの開放領域９６０を亙って配置された材料の一部分とすることができる。架橋部９３８は、所定の用途に合った十分なジョーの開放領域の寸法及び架橋部の強度が得られるように多数の仕方にて具体化することができる。特定の架橋部の解決策は、ジョーの間の距離、ジョーの開放領域の寸法、材料の型式及び可撓性、プローブの接触面、架橋部の形状等々のような多数の因子に対応して変更することができる。架橋部の形状は、例えば、直線状、湾曲、凹型、凸型等々のような任意の所望の形状とすることができる。架橋部９３８の所定の実施例の場合、ジョーの開放領域９６０は、プローブ８が最大の伸長状態にあるとき、留め具本体４Ｂと干渉しないよう十分に大きくなければならない。このことは、任意の追加された相互作用要素すなわち架橋部と実質的に１つの接触点を保証するという有利な効果を有する。幾つかの場合、接触点は、架橋部９３８のほぼ中心を通る線に沿ったものでなければならない。
【００４８】
１つの実施の形態において、架橋部９３８は、２つの架橋部分９３８Ａ、９３８Ｂに分割してもよい。一端にて、架橋部分９３８Ａ及び９３８Ｂは、ジョー９０６及び９１８にそれぞれ取り付けることができる。他端にて、架橋部分９３８Ａ、９３８Ｂは、隔てられた対面する縁部を有する。その結果、架橋部９３８は、線９４０に沿ってスロット９１４に対し垂直にその中心を通る狭小な空隙を有することになる。別の実施の形態において、架橋部９３８は、ジョー９２２及び９２６を接続する中実な材料片とすることができる。実施の形態は、この構成にのみ限定されるものではない。
【００４９】
図１０には、本発明の１つの実施の形態による取り外しアーム、図１のセキュリティタグの下側ハウジングの内部及び第三のリニアクランプの図が示されている。図１０には、変更した下側ハウジング３内に配置された第三のリニアクランプ９００が図示されている。１つの実施の形態において、変更した下側ハウジング３は、第三のリニアクランプ９００を上記の実施の形態に対して再位置決めすることができる。新たな位置は、プローブ端部８Ａが線１００４に沿って架橋部９３８に接触することを許容するものとすることができる。線１００４に沿ったプローブ８からの力は、第三のリニアクランプ９００を直線方向９４２に向けて動かすことができる。
【００５０】
より具体的には、変更した下側ハウジング３は、案内部１０１０、１０１２を有することができる。案内部１０１０、１０１２は、案内部２５、２６と同様の機能を果たすことができる。案内部１０１０、１０１２は、円弧状のプローブ８により提供された力に応答して第三のリニアクランプ９００を直線方向９４２に向けて案内するのを助ける。
【００５１】
変更した下側ハウジング３は、壁１０１４を更に備えることができる。壁１０１４は、支持部１０１６を更に備えることができる。壁１０１４及び支持部１０１６は、直線方向９４２に向けた移動量を制限するのを助ける。更に、支持部１０１６は、第三のリニアクランプ９００の線９４０に沿ってばねアーム９０２と接触し、第三のリニアクランプ９００が直線方向９４２に向けて動くとき、ばねアーム９０２を偏倚させる。
【００５２】
変更した下側ハウジング３は、締結した位置にあるとき、留め具４の留め具端部４Ｄを受け入れ得るようにカラー３Ｈを再配置することもできる。特定の実施例に対応して、カラー３Ｈの新たな位置を受け入れるために留め具４を調節することも必要であろう。例えば、完全に挿入されたとき、カラー３Ｈ内に適正に着座することを保証するように留め具４の長さを調節することができる。
【００５３】
第三の直線移動止め具すなわちリニアクランプ９００の新たな位置を受け入れ得るように、変更した下側ハウジング３に対するその他の調節が必要であろう。例えば、ハウジング３の壁３Ｅの内面３Ｆは、ＥＡＳセンサ５を受け入れるため内部キャビティ１Ｃを共に画成するフレーム部材３Ｇを備えることができる。フレーム部材３Ｇは、例えば、壁３Ｂに向けて再配置することができる。
【００５４】
変更した下側ハウジング３に対する変更に加えて、上側ハウジング２は、変更した下側ハウジング３に対する変更に相応するように同様に変更することができる。例えば、変更した上側ハウジング２の壁２Ｅの開口部２Ｈは、変更した下側ハウジング３のカラー３Ｈに相応するように再配置することができる。別の例において、壁２Ｅの上面２Ｊの凹状領域２Ｉは、開口部２Ｈを通して完全に挿入されたとき、留め具ヘッド部４Ａが凹状領域２Ｉ内に適正に着座することを保証し得るよう再配置することができる。
【００５５】
変更した上側ハウジング２、変更した下側ハウジング３及び留め具４に対するその他の変更例は、特定の実施例に対し必要とされよう。実施の形態は、この構成にのみ限定されるものではないことを理解することができる。
【００５６】
１つの実施の形態において、プローブ８を有する同一の取り外し装置をセキュリティタグ１と共に使用することができる。別の実施の形態において、リニアクランプ９００の新たな位置を受け入れるため、異なる取り外し装置が必要であろう。この後者の場合、プローブの半径は、円弧状通路７を通過するような形態としなければならない。プローブ端部８Ａ又はプローブの断面は、特定の実施例に合うよう必要とされるように変更することができる。
【００５７】
１つの実施の形態において、リニアクランプ９００に対する新たな当初位置が架橋部９３８を通路７の内端７″に向けて中心決めする。プローブ８が通路７内に挿入されたとき、プローブ８の端部は、通路７に沿って移動し且つ線１００４に沿って架橋部９３８に直接力を加える。線１００４は、接触点からスロットを通って例えば、ばねアームの接触点１０１８まで進むことができる。このことは、プローブの端部８Ａとリニアクランプとの間の接触点がリニアクランプの一端に向けたものである上述の実施の形態の場合と相違する。プローブ８からの力１００２の作用線がスロットを通って進むことは、実質的にゼロモーメントを生じさせる。このように、動作は、実質的に直線方向に向けたものとなる。この力は、第三のリニアクランプ９００を案内部１０１０、１０１２を通って直線方向９４２に向けて動かすことができる。この直線方向への動きは、留め具溝４Ｃがスロット９０４から解放点９４４、９４６を通ってジョーの開放領域９６０内に移動するようにする。この新たな当初位置は、プローブ８がその最大の伸長状態にあるとき、リニアクランプ９００がばねアームの接触点１０１８に対して１．１４ｍｍ（０．０４５インチ）から１．６５ｍｍ（０．０６５インチ）の範囲で動くことができるようなものであるが、実施の形態は、この構成にのみ限定されるものではない。ばねアーム９０２を偏する支持部１０１６は、図１０にて示したように、線１００４に沿って再配置する必要があることを認識すべきである。プローブ８が引き出されたとき、細長いばねアーム９０２は、リニアクランプ９００をその新たな当初位置に押して戻す。
【００５８】
円弧状のプローブ８は、円弧に沿って移動するため、第三のリニアクランプ９００との接触点は、第三のリニアクランプ９００が移動して留め具本体４Ｂを解放するとき、僅かに移動する。この移動量は、接触点の範囲をゼロモーメントの点の周りに中心決めすることで減少させることができる。このようにして、移動開始時における力の成分は僅かな時計回り成分を有し、その時計回り成分は移動中心点にて減少し且つゼロに向けて移動し且つ最終的な移動部分の間、僅かな反時計回り方向成分を有するように増大する。正味移動量は、実質的に平行移動である。この理論的な幾何学的形態から僅かにずれるならば、僅かな程度の正味回転となろう。しかし、平行移動の効果は遥かに大きく、平行移動は留め具本体４Ｂを解放することを許容する主要動作となる。第三のリニアクランプ９００の接触面の形状を最適化すれば、接触点の範囲を更に減少させることができる。図１０に図示するように、第三のリニアクランプ９００は、接触範囲を減少させ得るように凹状の形状とすることができる。
【００５９】
本発明の実施の形態の特定の特徴について上述したように示したが、当前記技術分野の当業者には、多数の改変例、置換物、変更及び等価物が案出されよう。このため、特許請求の範囲は、本発明の実施の形態の真の精神に属するかかる改変例及び変更例の全てを包含することを意図するものであることを理解すべきである。
【図面の簡単な説明】
【００６０】
【図１】本発明の１つの実施の形態によるセキュリティタグの図である。
【図２】本発明の１つの実施の形態による線Ａ−Ａに沿った図１のセキュリティタグの断面図である。
【図３】本発明の１つの実施の形態によるセキュリティタグの下側ハウジングの内部を示す図である。
【図４】４Ａは、本発明の１つの実施の形態によるセキュリティタグの上側ハウジングの内部を示す図である。
【００６１】
４Ｂは、本発明の１つの実施の形態によるセキュリティタグの上側ハウジングの外部を示す図である。
【図５】本発明の１つの実施の形態による第一のリニアクランプの分解図である。
【図６】本発明の１つの実施の形態による第一のリニアクランプと共に、図１のセキュリティタグの下側ハウジングの内部を示す部分図である。
【図７】本発明の１つの実施の形態による第二のリニアクランプを示す分解図である。
【図８】本発明の１つの実施の形態による第二のリニアクランプと共に、図１のセキュリティタグの下側ハウジングの内部を示す部分図である。
【図９】本発明の１つの実施の形態による図１のセキュリティタグにて使用される第三のリニアクランプを示す分解図である。
【図１０】本発明の１つの実施の形態による図１のセキュリティタグの取り外しアーム、下側ハウジングの内部、及び第三のリニアクランプを示す図である。
【符号の説明】
【００６２】
１    セキュリティタグ                    １Ａ    タグ本体
２    上側ハウジング                      ２Ｅ    上側ハウジングの壁
２Ｈ    上側ハウジングの壁の開口部        ２Ｉ    上面２Ｊの凹状領域
２Ｊ    壁２Ｅの上面                      ３    下側ハウジング
３Ｅ    下側ハウジングの壁                ３Ｆ    下側ハウジングの壁の内面
３Ｇ    フレーム部材                      ３Ｈ  直立キャビティすなわちカラー
４    留め具本体                          ４Ａ    留め具ヘッド部
４Ｂ    留め具本体                        ４Ｃ    留め具溝
４Ｄ    留め具の尖った端部                ７    円弧状通路
７″    通路７のＬ字形の内端              ７Ａ    湾曲壁
７Ｂ    第二の湾曲壁                      ８    円弧状のプローブ
８Ａ    プローブ端部                      ９    第二の開口部
９Ａ    スロット                          ９Ｂ    スロット
１１    湾曲壁                            ２５、２６    案内部
５１    物品                              ５００    リニアクランプ
５０２    細長いばねアーム                ５０４    本体４Ｂを受け入れるスロット
５０６    ジョー                          ５０８    湾曲部
５１０    リニアクランプの縁部            ５１２    開放点
５１４    細長いスロット                  ５１６    開放点
５１８    ジョー                          ５２０    １組みのスロット
５２２    対面する縁部                    ５２４    クランプ本体
５２６    対面する縁部                    ５２８    接続領域
５３２    縁部                            ５３０    縁部の一側部
５３６    留め具保持本体                  ５３８    ジョーの開放領域
５４０    開口５０４の中心を貫通する線    ５４２    直線方向を示す線
５４８    細長いスロット                  
５５０    円弧状のプローブによって加えられた力              
５５２、５５４    リニアクランプの縁部／側部
５５８    力が加えられる点                ６０２    方向５４２と直線状である方向
６０８    支持部                          ７００    第二のリニアクランプ
７０２    ばねアーム                      ７０４    スロット
７０８    湾曲部                          ７１０    クランプ本体の縁部
７２４    クランプ本体                    ７２８    接続領域
７３４    アームの一端                    ７４０    線
７４２    クランプ７００の動く方向        ７４４、７４６    解放点
８０４    線                              ８０８    支持部
８１２    抵抗力
８２８    支持部８０８とばねアームとの間の接触点
９００    第三のリニアクランプ
９０２    ばねアーム                      ９０４    スロット
９０６    ジョー                          ９１４    スロット
９２２、９２６    ジョー                  ９３８    架橋部  
９３８Ａ、９３８Ｂ    架橋部分            ９４０    線  
９４２    第三のクランプ９００が動く、直線方向
９４４、９４６    解放点                  ９６０    ジョーの開放領域
１００２    プローブからの力の作用線      １００４    線
１０１０、１０１２    案内部              １０１４    壁
１０１６    支持部
【図１】
2005025761.tif 000003
【図２】
2005025761.tif 000004
【図３】
2005025761.tif 000005
【図４】
2005025761.tif 000006
【図５】
2005025761.tif 000007
【図６】
2005025761.tif 000008
【図７】
2005025761.tif 000009
【図８】
2005025761.tif 000010
【図９】
2005025761.tif 000011
【図１０】
2005025761.tif 000012